Podtech/llm-jp-corpus-v4-ja_patent huggingface dataset:
(57)【要約】【課題】コンクリートパネルの穴を塞ぐ器具において、コンクリートパネルの穴の大きさに対する制限を少なくすることを課題とする。【解決手段】本考案はコンクリートパネルに形成された穴を塞ぐコンクリートパネル穴閉塞具として、前記穴を塞ぐに足りる大きさの板体１１にボルト１２を立設したボルト部材１０と、前記ボルト１２が通る貫通孔を設けた、前記穴を塞ぐに足りる大きさの板体２１に、前記ボルト１２に係合するナット２２を、前記貫通孔の位置が当該ナット２２の開口に一致するように固定したナット部材２０とから構成する。【選択図】  図１
0003163570.tif 000002
【実用新案登録請求の範囲】
【請求項１】
コンクリートパネルに形成された穴を塞ぐ器具であって、
前記穴を塞ぐに足りる大きさの板体にボルトを立設した、ボルト部材と、
前記ボルトが通る貫通孔を設けた、前記穴を塞ぐに足りる大きさの板体に、前記ボルトに係合するナットを、前記貫通孔の位置が当該ナットの開口に一致するように固定したナット部材と
からなるコンクリートパネル穴閉塞具。
【考案の詳細な説明】
【技術分野】
【０００１】
本考案はコンクリートパネルに形成される穴を塞ぐための器具に関する。
【背景技術】
【０００２】
コンクリート躯体形成のための型枠を構成するために用いられるコンクリートパネルは、使用できなくなるまで何度も再利用される。一方、コンクリートパネルは、セパレータの取り付けなど、必要に応じて貫通した穴が形成されることになる。このため、コンクリートパネルには貫通した穴が開いていることがあり、再利用に際してこの穴を用いない場合は、穴を塞ぐ必要がある。
コンクリートパネルの穴を塞ぐ器具としては、図３（ａ）に示すようなものが市販されている。これは、ゴム製の円錐台の栓であり、穴に適合した大きさの栓を内側からはめ込むことで穴を塞ぐものである。
また、下記特許文献１には、コンクリートパネルの穴を塞ぐ器具として、図３（ｂ）に示すものが記載されている。これは、穴を塞ぐ板体101に、３本の先端に向かって広がる弾性部材からなる脚102を設け、この脚102をすぼめてコンクリートパネルの穴に挿入し、脚102が広がろうとする弾性力で穴に係合するものである。
【先行技術文献】
【特許文献】
【０００３】
【特許文献１】実用新案登録第3158103号公報
【考案の概要】
【考案が解決しようとする課題】
【０００４】
ところで、図３（ａ）に示すものは底面の最大径よりも大きな穴や上面の最大径よりも小さな穴に対しては使用することができない。また、図３（ｂ）に示すものも、脚が設けられる基端側の３点を通る円よりも小さいものには嵌めることができず、また、当該円に対して大きすぎる穴に対してはしっかりと係合できないという問題がある。
本考案は、このような問題に鑑み、コンクリートパネルの穴を塞ぐ器具において、コンクリートパネルの穴の大きさに対する制限を少なくすることを課題とする。
【課題を解決するための手段】
【０００５】
上記課題を解決するために、本考案はコンクリートパネルに形成された穴を塞ぐコンクリートパネル穴閉塞具として、前記穴を塞ぐに足りる大きさの板体にボルトを立設したボルト部材と、前記ボルトが通る貫通孔を設けた、前記穴を塞ぐに足りる大きさの板体に、前記ボルトに係合するナットを、前記貫通孔の位置が当該ナットの開口に一致するように固定したナット部材とから構成したものである。
【考案の効果】
【０００６】
このような構成により、コンクリートパネルの穴が開いてある部分に、コンクリートパネルの裏面側からボルト部材のボルトを通し、このボルトにコンクリートパネルの表面側からナット部材を板体がコンクリートパネル表面に接するように係合し、コンクリートパネルを狭持するようにボルト部材とナット部材を締結することで、それぞれの板体によってコンクリートパネルの穴を塞ぐことができる。そして、コンクリートパネルに形成されている穴に関し、ボルトが通る穴から板体の大きさまでの穴を塞ぐことができるので、板体の大きさを適当に設定することで広範囲の大きさの穴に対して同じ器具で対応することができる。
【図面の簡単な説明】
【０００７】
【図１】実施形態に係るコンクリートパネル穴閉塞具の分解斜視図である。
【図２】実施形態に係るコンクリートパネル穴閉塞具の使用状態を示す断面図である。
【図３】（ａ）（ｂ）は従来のコンクリートパネル穴閉塞具の斜視図である。
【考案を実施するための形態】
【０００８】
以下、本考案の実施の形態について、図面を参照しながら説明する。
図１に本実施形態に係るコンクリートパネル穴閉塞具Ｘの分解斜視図を示す。コンクリートパネル穴閉塞具Ｘは、ボルト部材１０とナット部材２０とから形成される。
ボルト部材１０は、厚み１．６ｍｍ、直径３４ｍｍの鋼製の円板１１の中央にＭ６×２５の全ネジのスタッドボルト１２を溶接にて立設固定したものである。
ナット部材２０は、厚み１．６ｍｍ、直径３４ｍｍの中央に直径８ｍｍの穴が形成された鋼製の円板２１の中央にM６のナット２２を溶接固定したものである。
なお、板体の大きさ、形状、ボルト、ナットの大きさは適宜変更が可能であることはいうまでもない。
【０００９】
次に、以上のような構成を有するコンクリートパネル穴閉塞具Ｘの使用方法について説明する。図２にコンクリートパネル穴閉塞具Ｘの使用状態を示す縦断面図を示す。使用者は、まず、コンクリートパネルPの裏面側（コンクリートが接する面側）から、塞ぐ穴Hにボルト部材１０のボルト１２を通し、コンクリートパネルPの表面から表出させる。次に、コンクリートパネルPの表面側から、板体２１がコンクリートパネルP側に向くようにして、ボルト部材１０のボルト１２の先端に、ナット部材２０のナット２２を係合させ、ボルト１２とナット２２とを締結する。さらに、ナット部材２０を回して締め込み、板体１１と板体２１によりコンクリートパネルPをしっかりと狭持することで、ボルト部材１０とナット部材２０とをコンクリートパネルPに固定し、穴Hの閉塞が完了する。
このように、コンクリートパネル穴閉塞具Ｘは、コンクリートパネルの穴よりも大きな板体で両側から狭持して穴Hを塞ぐので、ボルト１２が通る、板体１１、２1よりも小さな穴であれば塞ぐことができる。なお、穴Hがボルト径に対して比較的大きい場合は、穴Hが板体１１、板体２１からはみ出さないように位置を調節して固定すればよい。
【符号の説明】
【００１０】
Ｘ  コンクリートパネル穴閉塞具Ｘ
１０  ボルト部材
１１  板体
１２  ボルト
２０  ナット部材
２１  板体
２２  ナット
【図１】
0003163570.tif 000003
【図２】
0003163570.tif 000004
【図３】
0003163570.tif 000005
(57)【要約】      （修正有）【課題】パン等の食品の販売時等に使用する使い捨て型の手袋の安全な保管場所とすることが出来る手袋用収納カバーを提供する。【解決手段】手袋カバーは環状のリング部材１と、手が挿入可能な開口部を有する袋部材２とを備える。リング部材１の開口部は、そこに挿入する手のひらの断面形状に対応する方向を向く略楕円状の形状とベルト等どこかに引っ掛ける為のフック形状を有する。また、このリング部材１には、一対の磁石３が付設されている。磁石により、袋の中で手袋が浮く様に固定することにより、風等の影響を受けにくくなるので、衛生的である。【選択図】図２
0003163515.tif 000002
【実用新案登録請求の範囲】
【請求項１】
プラスチックないしは金属の環状のリング素材、プラスチック製の袋をセットして使用する、磁石によって着脱することにより、プラスチック製の手袋を着脱した際、保管場所を
確保できる手袋カバー。
【請求項２】
請求項１に記載の手袋カバーにおいて、
前記リング部材の開口部は、そこに挿入する手のひらの断面形状に対応する方向を向く略楕円形状を有する。
【請求項３】
請求項２に記載の手袋カバーにおいて、
前記リング部材には磁石が付設される手袋カバー。
【考案の詳細な説明】
【技術分野】
【０００１】
この考案は使い捨て型手袋用収納カバーに関する。
【背景技術】
【０００２】
使い捨て型の手袋は、例えば、病院で医師／看護婦／検査技師等の医療従事者が疾病の
感染防止のために使用したり、食品の販売店や製造工場で使用されたり、あるいは、
ペットの糞などの汚物を処理したりする場合に使用されている（例えば、特許文献１参照）。
【０００３】
ところで、このような手袋を、例えば、パンの販売店等において販売員が使用する場合には、販売作業に対応して、手袋をはめたり、外したりする着脱作業をたびたび繰り返す必要がある。このため、例え、使い捨て型の手袋であったとしても、着脱する毎に手袋を廃棄することはせず、同じ手袋を何度か使用している。
【０００４】
このように、手袋をはめたり、外したりの着脱操作を繰り返す必要がある場合の中で
手袋を外した時に、その手袋を衣服のポケットに入れるか、どこか他の場所に
一時的に保管するのが一般的である
【先行技術文献】
【特許文献】
【０００５】
【特許文献１】特開２００４−１５６１５５号公報
【考案の概要】
【考案が解決しようとする課題】
【０００６】
上述したように、このような手袋を、例えば、パンの販売店等において、販売員が使用する場合には、販売作業に対応して手袋をはめたり外したりの着脱操作をたびたび繰り返す必要があるが、保管場所を早急に確保する必要があるので、衣服のポケットや身近な棚等に保管するようになる、そのような場合において、風等の影響で手袋自体の表面に「埃」や「有機物」が付着する可能性があり、安全な保管場所を確保するのが困難である。
【０００７】
また、このような場合には、使い捨て型の手袋であったとしても、着脱する毎に手袋を廃棄することはせず、同じ手袋を何度か使用しているが、手袋自体が薄いプラスチックでできていることから、棚の上に置いておくと、風等により容易に吹き飛ばされてしまうという問題も生ずる。
【課題を解決するための手段】
【０００８】
請求項１に記載の考案は、手が挿入可能な開口部を有する環状の部材である。
【０００９】
請求項２に記載の考案は請求項１の記載の考案において、前記リング部材の開口部は、そこに挿入する手のひらの断面形状に対応する方向を向く略楕円形状を有する。
【００１０】
請求項３に記載の考案は、請求項２の記載の考案のおいて、前記リング部材には磁石が
付設される。
【００１１】
請求項１に記載の考案によれば、手が挿入可能な開口部を有する環状のリング部材の
作用により、着脱した手袋の保管が容易に実行することができる。このため、手袋を
頻繁に着脱する必要のある食品の販売時等に好適に使用可能となる。
【００１２】
請求項２に記載の考案によれば、着脱した使い捨て手袋を容易に保管できる。
【００１３】
請求項３に記載の考案によれば、簡易な構成でありながら、使い捨て手袋を容易に
保管することが可能となる。
【図面の簡単な説明】
【００１４】
【図１】この考案に係る手袋カバーの、袋部材２をリング部材１に装着する前の状態を示す。
【図２】この考案に係る手袋カバーの、袋部材２をリング部材１に装着した後の状態を示す。
【考案を実施するための形態】
【００１５】
以下、この考案の実施の形態を図面に基づいて説明する。
図１は、この考案に係る手袋の、リング部材１を袋部材に装着する前の状態を示す図で
あり、図２は、この考案に係る手袋カバーの、袋部材２をリング部材１に装着した後の
状態を示す図である。
【符号の説明】
【００１６】
１  リング部材
２  袋部材
３  磁石
４  フック部
５  使い捨て手袋
【図１】
0003163515.tif 000003
【図２】
0003163515.tif 000004
【手続補正書】
【提出日】平成22年8月18日(2010.8.18)
【手続補正１】
【補正対象書類名】実用新案登録請求の範囲
【補正対象項目名】全文
【補正方法】変更
【補正の内容】
【実用新案登録請求の範囲】
【請求項１】
プラスチックないしは金属の環状のリング素材、プラスチック製の袋をセットして
使用する、リングに固定された「磁石Ａ」と付け外しが出来る「磁石Ｂ」で袋を挟み込み、固定することにより、プラスチック製の手袋を着脱した際の保管場所を確保できる手袋カバー。
【請求項２】
請求項１に記載の手袋カバーにおいて、
前記リング部材の開口部は、そこに挿入する手のひらの断面形状に対応する方向を向く略楕円形状を有する手袋カバー。
【請求項３】
請求項２に記載の手袋カバーにおいて、
前記リング部材には磁石が付設される手袋カバー。
(57)【要約】      （修正有）【課題】電線の接続不良による発熱が外観の目視により簡単に発見できる接続ボックス及び接続カバーを提供する。【解決手段】電線接続端子台カバー及び電力遮断機の電線接続台カバー４又電線接続カバーの電線接続部分を囲うカバーの樹脂材料に示温インクを混入しカバーの成型加工をすることにより接続部分の発熱を樹脂の色変化で表示できるように電線接続カバーを構成する。【選択図】図２
0003163512.tif 000002
【実用新案登録請求の範囲】
【請求項１】
電線接続端子台カバー１及び電力遮断機の電線接続台カバー４又電線接続カバー５の電線接続部分を囲うカバーの樹脂材料に示温インクを混入しカバーの成型加工をすることにより接続部分の発熱を樹脂の色変化で表示できることを特徴とする電線接続カバー
【考案の詳細な説明】
【技術分野】
【０００１】本考案は電線接続部分の接続不良による発熱が外観の目視で確認できるようにすることに関する考案
【背景技術】
【０００２】従来電線はボックス内で接続し接続不良による発熱は外観では確認できなかった、接続不良による発熱が簡単に確認できれば電線の発火を未然に防ぐことができる。
【考案の概要】
【考案が解決しようとする課題】
【０００３】電線の接続不良による発火事故を未然にふせぐことを目的とする。
【課題を解決するための手段】
【０００４】接続ボックス及び接続カバーの樹脂材料に示温インクを混入し発熱状態を樹脂の色変化で表示することを特徴とする。
【考案の効果】
【０００５】以上説明したように本考案は、接続ボックス及び接続カバーが示温インク入り樹脂を成型加工した接続カバーにより電線の接続不良による発熱が外観カバーの色変化で確認できる。
【図面の簡単な説明】
【０００６】
【図１】電線接続用端子台における本考案の発熱による色変化樹脂使用個所図面
【図２】低圧電力遮断機における本考案の発熱による色変化樹脂使用個所図面
【図３】電線接続カバーにおける本考案の発熱による色変化樹脂使用個所図面
【考案を実施するための形態】
【０００７】電線接続端子台１及び電力遮断機の接続部分４又電線接続カバー５の電線接続部分を囲うカバーの樹脂材料に示温インクを混入し樹脂を成型加工する。
【実施例】
【０００８】示温インク入り樹脂材料を成型加工した製品をそれぞれの機器に取付ける。電線の接触不良によりカバー内の温度が上昇すると温度の高い部分の周辺の樹脂製カバーが色変化し接触不良による発熱を発見できる。
【符号の説明】
【０００９】１  発熱表示  電線接続端子台カバー
２  電線接続台
３  ノーヒューズブレーカー  ノブ
４  発熱表示  電線接続台カバー
５  発熱表示  電線接続カバー
６  電線接続器
【図１】
0003163512.tif 000003
【図２】
0003163512.tif 000004
【図３】
0003163512.tif 000005
(57)【要約】      （修正有）【課題】扇子を閉じた場合にも模様片が表面に残るようにして装飾性を高めた扇子を提供する。【解決手段】一対の親骨と多数の小骨に地紙が支持されている折り畳み可能な扇において、折り畳みする断面波状の扇面の山線に適宜形状に模様片を取り付ける。【選択図】図１
0003163578.tif 000002
【実用新案登録請求の範囲】
【請求項１】
かなめに枢着された一対の親骨間に挟持された多数の小骨と、その小骨に支持される地紙とで構成される断面波形の折り畳みする扇面の山線に適宜形状の模様片を取り付けてなることを特徴とする扇子。
【請求項２】
模様片が扇面の山線に取り外し可能に取り付けられている請求項１の扇子。
【考案の詳細な説明】
【技術分野】
【０００１】
本考案は、扇面に模様片をつけた扇子であり、特にその模様片が扇面を折りたたんだ時にも表面に残ることを特徴とする扇子に関するものである。
【背景技術】
【０００２】
扇子は、その機能ばかりでなく、扇面に描かれた模様が使用者に重視されるものであり、この扇面をさらに楽しくするため、花などを模した模様片を配置することが古くから行われている。
【０００３】
例えば特許第２６０３号には、扇面を構成する小骨に花弁などの模様片を取付けたものであり、特許第８４８８号は小骨の上下に付着した細い地紙に花形状の模様片を固着したものである。
【特許文献１】特許第２６０３号公報
【特許文献２】特許第８４８８号公報
【考案の開示】
【考案が解決しようとする課題】
【０００４】
特許第２６０３号の発明は扇子を開いた状態で扇面上に模様片が見えるが、扇子を閉じた状態では模様片も折りたたまれる。また、特許第８４８８号の発明は扇面の小骨がひもで結合されている特殊な構造を持つものである。
【０００５】
本考案は一般に用いられている扇子、即ち、両側に親骨があり、親骨間には多数の小骨と、それに付した地紙により断面波状の扇面が構成されている扇子に関するものであり、その扇面に付した各種形状の模様片が扇子を折りたたんだ場合でも表面に残ることを目的とするものである。
【課題を解決するための手段】
【０００６】
請求項１の考案は、かなめに枢着された一対の親骨間に挟持された多数の小骨とその小骨に支持された地紙とで構成される、断面が波状の折り畳みする扇面の山線に適宜形状の模様片を取付けたことを特徴とする扇子を提供するものである。
【０００７】
また本考案の模様片は扇面の山線と取り外し可能に取り付けられていることを特徴とするものであり、模様片としては紙、繊維その他の材料から適宜選択できるものである。
【考案の効果】
【０００８】
本考案の模様片は、断面波形の扇面の山線に取り付けられているため、扇子を折りたたんだ場合でも模様片が山線の外側に位置するため表面に残ることができる効果を有するものである。また、本考案の扇子はかなめに枢着されて親骨間に挟持された多数の小骨があり、小骨に地紙を接着等により支持させて扇面を構成している一般に用いられる構造であるため、模様片の取り付けがきわめて簡単である効果を有するものである。
【０００９】
さらに、模様片を山線に対して取り外し可能に取り付けてあれば模様片を好みに応じて取り替えることができる効果も持つものである。
【考案を実施するための最良の形態】
【００１０】
図を参照しつつ、本考案を実施するための最良の形態を説明する。
【実施例１】
【００１１】
図１は、本考案の扇子を開いた状態を示すもので、扇面１は、要２で枢着された一対の親骨３，３間に挟持された多数の小骨４と、小骨に支持された地紙５で構成されている。地紙５と小骨は本実施例では図２に示すように地紙５の裏面に接着されているが、この構造に限定されず２枚の地紙の間に小骨を挟持する構造のものも採用できる。
【００１２】
６は模様片で、図２に示すように断面波状の地紙５の山線７に縫着されている。この模様片６は装飾用であるため、その材料は、紙、布、合成樹脂その他の材料が用いられ、形状も限定されるものではない。なお、地紙５の山線７は図２の模様片６の取り付けられた側から見たもので、その反対側から見た場合の山線に模様片を取り付けることもでき、両側から見た山線に模様片を取り付けることも可能である。
【図面の簡単な説明】
【００１３】
【図１】本考案の扇子を開いた状態を示す正面図
【図２】扇面の断面図
【図３】扇子を閉じた状態を示す正面図
【符号の説明】
【００１４】
１  扇面
２  かなめ
３  親骨
４  小骨
５  地紙
６  模様片
【図１】
0003163578.tif 000003
【図２】
0003163578.tif 000004
【図３】
0003163578.tif 000005
(57)【要約】      （修正有）【課題】消毒液を用いた簡素な滅菌処理ができる聴診器を提供する。【解決手段】聴診器を集音器と再生器に分割することで滅菌が必要な集音器のみを消毒液に漬け、滅菌することを可能とした。身体音は再生器内のＡＤボードでデジタルデータに変換し無線によって再生器へ送信される。生体よりの身体音を集音する集音部と、前記集音部で集音した身体音を対応する電気信号に変換するマイクロホンと、該マイクロホンよりの電気信号をデジタルデータに変換するＡＤボードと、前記デジタルデータを無線出力する送信機から構成される集音器および、前記デジタルデータを受信する受信機と、前記デジタルデータを電気信号に変換するＤＡボードと、前記電気信号を増幅する増幅回路と、該増幅回路よりの増幅電気信号を音響信号に変換して出力する発信器から構成される再生器より構成され、前記集音器と前記再生器とが物理的に独立しており、前期集音器に防水加工が施されている。【選択図】図１
0003163594.tif 000002
【実用新案登録請求の範囲】
【請求項１】
生体よりの身体音を集音する集音部と、前記集音部で集音した身体音を対応する電 気信号に変換するマイクロホンと、前記マイクロホンよりの電気信号をデジタルデータに変換するADボードと、前記デジタルデータを無線出力する送信機から構成される集音器および、前記デジタルデータを受信する受信機と、前記デジタルデータを電気信号に変換するDAボードと、前記電気信号を増幅する増幅回路と、前記増幅回路よりの増幅電気信号を音響信号に変換して出力する発信器から構成される再生器から構成され、前記集音器と前記再生器とが物理的に独立していることを特徴とする聴診器。
【請求項２】
前記発信器としてヘッドホンを採用した請求項１の聴診器。
【請求項３】
前記集音器が防水加工を施されていることを特徴とする請求項１の聴診器。
【考案の詳細な説明】
【技術分野】
【０００１】
聴診器に関するものである。
【背景技術】
【０００２】
従来の聴診器は生体よりの身体音を集音する集音部と使用者に装着される聴診部、前記集音部で集音した身体音を前記聴診部に伝達する管状の伝達部から構成され、それらは物理的につながっている。
【０００３】
しかし従来の聴診器は前記集音部、前記聴診部、前記伝達部が一体となっており取り回しが悪く、また浸水により機能を損なうため消毒液を用いた滅菌処理手段を使用できなかった。
【考案の概要】
【考案が解決しようとする課題】
【０００４】
本考案は上記の問題点に鑑み、消毒液を用いた簡素な滅菌処理ができる聴診器を提供する。
【課題を解決するための手段】
【０００５】
請求項１の考案は、生体よりの身体音を集音する集音部と、前記集音部で集音した身体音を対応する電気信号に変換するマイクロホンと、前記マイクロホンよりの電気信号をデジタルデータに変換するADボードと、前記デジタルデータを無線出力する送信機から構成される集音器および、前記デジタルデータを受信する受信機と、前記デジタルデータを電気信号に変換するDAボードと、前記電気信号を増幅する増幅回路と、前記増幅回路よりの増幅電気信号を音響信号に変換して出力する発信器から構成される再生器から構成され、前記集音器と前記再生器とが物理的に独立していることを特徴とする聴診器に係る。
【０００６】
請求項２の考案は、前記発信器としてヘッドホンを採用した請求項１の聴診器に係る。
【０００７】
請求項３の考案は、前記集音器が防水加工を施されていることを特徴とする請求項１の聴診器に係る。
【考案の効果】
【０００８】
請求項１の考案によれば、生体よりの身体音を集音する集音部と、前記集音部で集音した身体音を対応する電気信号に変換するマイクロホンと、前記マイクロホンよりの電気信号をデジタルデータに変換するADボードと、前記デジタルデータを無線出力する送信機から構成される集音器および、前記デジタルデータを受信する受信機と、前記デジタルデータを電気信号に変換するDAボードと、前記電気信号を増幅する増幅回路と、前記増幅回路よりの増幅電気信号を音響信号に変換して出力する発信器から構成される再生器から構成され、前記集音器と前記再生器とが物理的に独立しており、請求項３の考案によれば、前期集音器が防水加工を施されているため、消毒液を用いた簡素な滅菌処理ができる。
【図面の簡単な説明】
【０００９】
【図１】本考案に係る一考案の実施の形態例の聴診器の構成を示す外観図である。（１）が集音器、（２）が再生器である。
【符号の説明】
【００１０】
１００ 集音器
１１０ 集音部
１２０ 再生器
【考案を実施するための形態】
【００１１】
音声信号の伝達を電波により電気的にやり取りすることで前記伝達部をなくし、前記集音部を含む集音器と前記聴診部を含む再生器とを物理的に独立させ、前記集音部には防水処理を施した。
【実施例】
【００１２】
図１の（１）に示すのが集音器であり、（２）に示すのが再生器である。集音器は、生体よりの身体音を集音する集音部、前記集音部で集音した身体音を対応する電気信号に変換するマイクロホン、前記マイクロホンよりの電気信号をデジタルデータに変換するADボード、前記デジタルデータを無線出力する送信機から構成される。再生器は、前記デジタルデータを受信する受信機、前記デジタルデータを電気信号に変換するDAボード、前記電気信号を増幅する増幅回路、前記増幅回路よりの増幅電気信号を音響信号に変換して出力する発信器から構成される。
【００１３】
デジタルデータのサンプリング周波数は４４．１ｋＨｚ、サンプリングビット数は  １６ビットとする。
【００１４】
無線伝送方式としては、Ｂｌｕｅｔｏｏｔｈを用いる。
【００１５】
発信器としては、ヘッドフォンを用いる。
【００１６】
集音器の防水加工としては、水深３ｍまでの浸水に耐えられる完全防水機構とする。  
【図１】
0003163594.tif 000003
(57)【要約】      （修正有）【課題】外圧によりメガネを損傷することを防ぐメガネ入れを提供する。【解決手段】メガネ入れ内部側面に保護材を挿入する。【選択図】図１
0003163537.tif 000002
【実用新案登録請求の範囲】
【請求項１】
内部側面に保護材を挿入し、外圧から袋内部の商品を保護する
ばね口メガネ入れ  または  ばね口小物入れ。
【考案の詳細な説明】
【技術分野】
【０００１】保護材による対外圧メガネ入れに関する。
【背景技術】
【０００２】従来のばね口メガネ入れには保護材を使用したものが無い。
【考案の概要】
【考案が解決しようとする課題】
【０００３】従って、メガネ入れ内部において、外圧によりメガネを損傷する場合があった。
【課題を解決するための手段】
【０００４】ばね口型メガネケースの内部側面に保護材を挿入し解決した。
【考案の効果】
【０００５】外圧から  ばね口メガネ入れ内部のメガネの損傷を防ぐこととなった。
【図面の簡単な説明】
【０００６】
【図１】は本考案の外観図を示す。
【考案を実施するための形態】
【０００７】図１に示すようメガネケース１の内部側面に保護材３を挿入した例を示す。
保護材としては軽量かつ強度を保つ為にプラスティック樹脂を用いることが好ましい。このばね口メガネ入れは構造上、サイズを変更することで、出し入れの容易さに加え、時計または化粧品容器など破損しやすい小物の保管としても応用可能である。
【符号の説明】
【０００８】１  メガネケース
２  メガネ挿入口
３  保護材
【図１】
0003163537.tif 000003
(57)【要約】      （修正有）【課題】お墓の線香立ての線香の灰や燃えかす・燃え残り等の掃除を楽にするための線香立て用具を提供する。【解決手段】上部に、備え付け線香立ての上部内径より大きく開いたつば３を持つ、底のある円錐台状の容器を、お墓の備え付けの線香立ての中に装着し、その中に線香を立てて使用する。装置を持ち上げると、線香の灰や燃えかす・燃え残りごと取り外すことができ、お墓の線香立ての中に残らない。上部つばをお墓の線香立て上部内径より大きくしてあるため、その部分を持って着脱しやすくなっている。また大きなつばがあることと装置が円錐台状であることで、お墓の線香立ての開口部に多少の大小や形状の違いがあっても対応できる。【選択図】図１
0003163531.tif 000002
【実用新案登録請求の範囲】
【請求項１】
お墓の線香立ての内側に装着し、上部に開口部から脱着するための大きなつばを持ち、線香を入れるため底のある下部の狭まった円錐台状になっている容器体の線香立て。
【考案の詳細な説明】
【技術分野】
【０００１】本考案は、お墓での線香立ての掃除を楽にするために、線香立ての内側に着脱できる底のある円錐台状容器をセットし、そこに線香を立てて使用することにより、掃除しやすくなるようにしたものである。
【背景技術】
【０００２】最近のお墓の線香立ては、ねじ回し式で取り外せるようになっているが、以前に建てられたお墓では、線香立てがお墓から外せないようになっている。新しいお墓は数が少なく、圧倒的に線香立ての外せないお墓が多い。
【先行技術文献】
【０００３】
【特許文献１】  特許公開２００５−７６３０４
【実用新案文献２】
実用新案公開平７−３８４７５
【実用新案文献３】
登録実用新案第３０９１１８７号
【考案の概要】
【考案が解決しようとする課題】
【０００４】線香の灰や燃えかす・燃え残り等は、上部差し込み口からつまみ出したり、線香立ての横についた穴からかき出したりするしかなく、しっかりきれいに取りきれないという難点があった。本考案は、この課題を解消するためになされたものである。
次に、先行文献について検証する。【０００５】特許公開２００５−７６３０４及び実用新案公開平７−３８４７５は、両方とも筒状容器体は備えているが、その筒状容器のみの単体としての活用のものではない。それに対し本考案は、単体での使用であり、線香を最後まで燃やすことを目的とするものではない。既存のお墓の線香立ての内側に装着すること、既存の束ねてある線香を直接その中に入れて使用することを前提にしており、内径的なゆとりもないことが多いため、深さは浅めである。また線香立ての開口部の大小・形状に対応できるよう、大きなつばを持つ点・円柱様でなく円錐台様である点で異なる。【０００６】登録実用新案第３０９１１８７号は、複数の支柱で残り屑を支えようとしているものであり、面としての筒状容器体とは異なる。
【課題を解決するための手段】
【０００７】お墓の線香立ての内側に、底のある円錐台状容器体の本考案を装着し、その中に線香を立てて使用することにより、線香を装置ごと取り外すことができるようにした。
また、装置上部のつばを線香立ての上部内径より大きくして引っかけることにより、着脱しやすくした。
【考案の効果】
【０００８】装置を持ち上げると、線香の灰や燃えかす・燃え残りごと取り外すことができ、お墓の線香立ての中に残らない。上部つばをお墓の線香立て上部内径より大きくしてあるため、その部分を持って着脱しやすくなっている。また大きなつばがあることと装置が円錐台状であることで、お墓の線香立ての開口部に多少の大小や形状の違いがあっても対応できると考える。
装置を、アルミホイルで作れば、それごと捨てることができ、アルミまたはステンレスで作れば、外して掃除ができて繰り返し使用できる。
【図面の簡単な説明】
【０００９】
【図１】  本考案の斜視図
【図２】  本考案の使用状態を示す断面図
【考案を実施するための形態】
【００１０】以下、本考案の実施の形態を説明する。
お墓の線香立ての内側に入る形状で、下部の狭まった円錐台状の側面部（１）と円からなる底部（２）を持ち、上部にお墓の線香立ての開口部にひっかけるためのつば（３）を設ける。
本考案を使用する場合は、つば（３）を持ち、底部（２）側面部（１）をお墓の線香立ての開口部から入れて装着し、その中に線香を立てて使用する。
【符号の説明】
【００１１】    １  側面部
２  底部
３  つば
【図１】
0003163531.tif 000003
【図２】
0003163531.tif 000004
(57)【要約】      （修正有）【課題】傘を壁面等に立て掛けようとする時、傘が転倒することを防ぐ傘の転倒防止用保持具を提供する。【解決手段】逆Ｖ字形をした二股に分かれた二本の脚２，２を有し、その頭頂部４に傘の石突き部を差し込むための穴５を設ける。【選択図】図１
0003163536.tif 000002
【実用新案登録請求の範囲】
【請求項１】
逆Ｖ字形をした二股に分かれた脚を有し、その二本の脚が交わる頭頂部に、傘の石突き部を差し込むための穴を設けた、傘の転倒防止用保持具。
【考案の詳細な説明】
【技術分野】
【０００１】  本考案は、傘の転倒防止用保持具に関するものである。
【背景技術】
【０００２】  傘立てが無い場所で、傘を壁面等に立て掛けようとする時、傘がバランスを崩したり、すべったりして傘が倒れてしまう場合があった。
【考案の概要】
【考案が解決しようとする課題】
【０００３】    前述のように、傘が倒れる度に、何回もやり直したり、仕方なく床に傘を寝かして置いたり、片手で持ち続けたりするなど不便であった。従ってこうした不便を解決しようとするものである。
【課題を解決するための手段】
【０００４】  本考案は、傘の石突き部に逆Ｖ字形をした二股に分かれた脚を取り付けることによりこれらの問題点を解決している。
【考案の効果】
【０００５】  上述のように、傘の石突き部に逆Ｖ字形をした二股に分かれた脚を差し込むことにより、傘を壁面等に立て掛けた時に、この脚が傘のバランスを保持し且つ傘が壁面や床面から滑るのを防止することで、傘が転倒することを防止する。
【図面の簡単な説明】
【０００６】
【図１】  本考案に係る傘の転倒防止用保持具の一実施例を示す斜視図である。
【図２】  同一実施例の傘の石突き部を頭頂部に差し込んだ状態を示す状態図である。
【図３】  同一実施例の、前述の状態で傘を壁面に立て掛けた時の状態を示す状態図である。
【考案を実施するための形態】
【０００７】  以下本考案を図１から図３に示した一実施例を参照して説明する。図示１は本体で、この本体１は逆Ｖ字形になるよう二股に分かれた脚２，２と頭頂部４とで構成されている。頭頂部４には傘の石突き部９を差し込むための穴５が設けられている。
【符号の説明】
【０００８】  １  傘の転倒防止用保持具の本体
２  脚
３  傘の石突き部の差し込み口
４  頭頂部
５  傘の石突き部の差し込み用穴
６  脚の付け根
７  脚の底部
８  傘の本体
９  傘の石突き部
１０  壁面
１１  床面
【図１】
0003163536.tif 000003
【図２】
0003163536.tif 000004
【図３】
0003163536.tif 000005
(57)【要約】      （修正有）【課題】ワイパー装置だけでは侵入を防ぎきれない切削液、種々溶液等をその液体吸収材が吸収することによってテレスコピックカバーの防水性を向上させるテレスコピックカバー用防水装置を提供する。【解決手段】互いにはめ込まれた複数のカバーボックスを重ね合わせて成るテレスコピックカバーの各カバー面間に、粉塵、ダスト、切削液、種々溶液等の侵入防止としてワイパー装置が設けられており、そのワイパー装置に隣接する形でフェルト等の繊維材料或いはスポンジ等の樹脂材料或いはそれらの合成材料から成る液体吸収材を設置する。【選択図】図１
0003163533.tif 000002
【実用新案登録請求の範囲】
【請求項１】
産業機械の摺動面保護カバーでマシニング等による明粉、切削液の飛散を防御する目的の、互いにはめ込まれた複数のカバーボックスを重ね合わせて成るテレスコピックカバーの各カバー面間に、粉塵、ダスト、切削液、種々溶液等の侵入防止としてワイパー装置が設けられており、そのワイパー装置に隣接する形でフェルト等の繊維材料或いはスポンジ等の樹脂材料或いはそれらの合成材料から成る液体吸収材を設置することによって、ワイパー装置だけでは侵入を防ぎきれない切削液、種々溶液等をその液体吸収材が吸収することによってテレスコピックカバーの防水性を向上させることを特徴としたテレスコピックカバー用防水装置。
【考案の詳細な説明】
【技術分野】
【０００１】本考案は、主として工作機械の保護カバー、その他一般産業機械の保護カバーとして活用するものに関する。
【背景技術】
【０００２】従来よりテレスコピックカバーは各カバー面間に、粉塵、ダスト、切削液、種々溶液等の侵入防止としてワイパー装置が設けられており、工作機械の保護カバーとしてその役割を担っている。しかし、近年の高速加工に伴う切削液の多量化により、ワイパー装置だけでは多量の切削液の侵入を防止するには不十分であった。
【考案の開示】
【考案が解決しようとする課題】
【０００３】産業機械の摺動面保護カバーでマシニング等による切粉、切削液の飛散を防御する目的の保護カバーにおいて、其のカバー内部への切削液、種々溶液の侵入を防ぐことにより工作機械の摺動部、ボールネジ等の錆び、腐食を防止しているが、近年著しい工作機械の高速加工化に伴い、多量の切削液が使用され、従来のワイパー単体では切削液を十分排除出来ずカバー内部へ侵入し、摺動部等に錆びが発生する問題があった。その為、多量の切削液に対応する保護カバーが求められている。これらの問題を解決する為、実用新案番号第３０４９０１５を本出願者は考案している。しかしながら、設置スペース、コストを考慮した場合、テレスコピックカバー単体で多量の切削液が使用されている環境に於いてもカバーボックスへの切削液の侵入を防ぐことのできる装置の開発が必要であった。
【課題を解決するための手段】
【０００４】本考案はかかる問題を解決するため鋭意研究し得られたもので、テレスコピックカバー用防水装置に関するものであり、其の内容について以下、図面に従って説明する。
【実施例】
【０００５】請求項１に記載のテレスコピックカバー用防水装置に関する断面図を図１に示す。【０００６】図１の断面図は請求項１に関するものであり、複数のカバーボックス２を重ね合わせて成るテレスコピックカバーの各カバー面間に設置したワイパー装置３に隣接する形で、フェルト等の繊維材料或いはスポンジ等の樹脂材料或いはそれらの合成材料から成る液体吸収材１を設置することで、テレスコピックカバー用防水装置は構成される。【０００７】各カバーボックス２に設置されたワイパー装置３で防ぎきれなかった切削液、種々溶液等が各カバーボックス２内に侵入しようとするとワイパー装置３に隣接する形で設置された液体吸収材１がその溶液を吸収しカバーボックス２内への侵入を防止する。
【考案の効果】
【０００８】従来の防水対策としてワイパー装置のみを設置したテレスコピックカバーでは、多量の切削液に対してカバーボックス内への切削液侵入が見られたが、本考案の装置を設置した場合においてはカバーボックス内への切削液侵入は見られず、テレスコピックカバーの防水対策として優れた効果を発揮した。
【図面の簡単な説明】
【図１】請求項１に記載のテレスコピックカバー用防水装置に関する断面図
【符号の説明】  １  液体吸収材
２  カバーボックス
３  ワイパー装置
【図１】
0003163533.tif 000003
(57)【要約】【課題】  抗菌効果や防臭効果に優れた、靴の中敷きを提供する。【解決手段】  ヤマザクラから採取した樹皮を素材とする靴の中敷きであって、樹木から方形状に剥ぎ取り、採取した後、乾燥させた、ヤマザクラ樹皮の表面及び裏面を削り取って薄板状に仕上げ、さらに、足形状に型抜きして成形し、該ヤマザクラ樹皮のみを素材として靴の中敷き本体１に成すことを特徴としたことで、ヤマザクラ樹皮特有の殺菌・抗菌成分を有する、抗菌効果や防臭効果に優れた、靴の中敷きとした。【選択図】図１
0003163532.tif 000002
【実用新案登録請求の範囲】
【請求項１】
ヤマザクラから採取した樹皮を素材とする靴の中敷きであって、樹木から方形状に剥ぎ取り、採取した後、乾燥させた、ヤマザクラ樹皮の表面及び裏面を削り取って薄板状に仕上げ、さらに、足形状に型抜きして成形し、該ヤマザクラ樹皮のみを素材として靴の中敷き本体に成すことを特徴とする靴の中敷き。
【考案の詳細な説明】
【技術分野】
【０００１】  本考案は、靴の中敷きに関する。
【背景技術】
【０００２】  従来より、靴の中敷きに於いては、通気性やクッション性の向上のために、合成樹脂材で多数個の凹凸や透孔を形成したものが市販されている。
【考案の概要】
【考案が解決しようとする課題】
【０００３】  しかしながら、このような中敷きは、抗菌効果や防臭効果に於いて、必ずしも優れているとは言い難いという問題点を有していた。【０００４】本考案は、上記従来有する問題点に鑑み、靴の中敷きに関し、抗菌効果や防臭効果に優れた、靴の中敷きを提供しようとするものである。
【課題を解決するための手段】
【０００５】  本考案は、ヤマザクラから採取した樹皮を素材とする靴の中敷きであって、樹木から方形状に剥ぎ取り、採取した後、乾燥させた、ヤマザクラ樹皮の表面及び裏面を削り取って薄板状に仕上げ、さらに、足形状に型抜きして成形し、該ヤマザクラ樹皮のみを素材として靴の中敷き本体１に成すことを特徴としたことで、ヤマザクラ樹皮特有の殺菌・抗菌成分を有する、抗菌効果や防臭効果に優れた、靴の中敷きとした。
【考案の効果】
【０００６】  本考案によれば、靴の中敷きは、ヤマザクラ樹皮のみを素材として靴の中敷き本体に成すことを特徴としたことから、ヤマザクラ樹皮に含まれる抗菌成分が作用して抗菌効果や防臭効果に優れることが予測できる。【０００７】抗菌作用については、財団法人「日本食品分析センター」に於いて、ヤマザクラ樹皮の抗菌活性値を測定した結果、抗菌効果：抗菌活性値２．０以上に対して、試験菌（大腸菌）：抗菌活性値３．７，試験菌（黄色ブドウ球菌）：抗菌活性値６．２と算出された。（ＪＩＳ  Ｚ  ２８０１：２０００  ２０１０年４月７日付け抗菌試験）【０００８】また、本考案に於いては、つま先部分のみの中敷きを製造することも容易であることから、その場合は接着剤などで固着することで、サンダル等への使用も可能になる。
【図面の簡単な説明】
【０００９】
【図１】  本考案に於ける靴の中敷きの平面図である。
【考案を実施するための形態】
【００１０】  以下、本考案の実施の形態について、図面を参照して説明する。
図１に示すように、靴の中敷きは、ヤマザクラから採取した樹皮を素材とする靴の中敷きであって、樹木から方形状に剥ぎ取り、採取した後、乾燥させた、ヤマザクラ樹皮の表面及び裏面を削り取って薄板状に仕上げ、さらに、足形状に型抜きして成形し、該ヤマザクラ樹皮のみを素材として靴の中敷き本体１に成すことを特徴としたことで、ヤマザクラ樹皮特有の殺菌・抗菌成分を有する、抗菌効果や防臭効果に優れた、靴の中敷きとした。
【符号の説明】
【００１１】  １    靴の中敷き本体
【図１】
0003163532.tif 000003
(57)【要約】      （修正有）【課題】面ファスナーのフック部生地を形成し、中央部にボリュームをもたせる膨らみを設け、周囲に髪とかもじの隔たりを軽減する山形カットを配した地肌を隠し、ボリュームを出せる板状かもじを提供する。【解決手段】面ファスナーのフック部シート４の原理を活用し、髪とかもじ本体の係止作用を用い、フック部シート４に弛みをもたせフック部シート４ａと裏面６、６ａを接着し空間５を設けることにより、本体の中央に膨らみが生じ髪の量感と地肌をカバーできるようにする。【選択図】図４
0003163392.tif 000002
【実用新案登録請求の範囲】
【請求項１】
かもじ本体に面ファスナーのフック面を設け、本体の周囲に山形カットを配し、二枚合せの片方に弛みをもたせて膨らみを形成することで地肌を隠しボリュームを出せることを特徴とする板状かもじ。
【考案の詳細な説明】
【技術分野】
【０００１】
本考案は、面状テープ（面ファスナー）のフック部からなるかもじに関するものである。
【背景技術】
【０００２】
かもじは、毛髪を乱し、量感をもたせた髪の固まりで、髪に補い入れる髪として古来より知られている。
【先行技術文献】
【特許文献】
【０００３】
【特許文献１】特開平１０−３１７２２２号
【考案の概要】
【考案が解決しようとする課題】
【０００４】
昨今、髪を結うことがなくなり、パーマネント等による生活に変化したことで、薄毛・分かれ目・つむじ等地肌を隠す手段として、髪を痛めやすい逆毛を立てたり、かつらに頼るなど問題があった。
本考案は、これらの問題を解消し、黒っぽい色の素材を使用し、あるいは自毛を活用することで違和感のない簡便な板状かもじを提供するものである。
【課題を解決するための手段】
【０００５】
本考案は、本体の周囲に山形カットを設けることで山形カットの先端が髪の間に入りかもじと髪の隔たりを軽減し地肌をカバーする。また本体に弛みをもたせ膨らみを形成することで髪を持ち上げ量感が出ることにより問題点を解決している。
【考案の効果】
【０００６】
上述のように、本考案の板状かもじは面状テープ（面ファスナー）のフック部の構造の原理を造形物としたことにより、隠したい地肌部分にかもじを置き自毛で被い上辺の毛を整え軽くスプレーをすれば一日中整髪は保持できる。
【図面の簡単な説明】
【０００７】
【図１】本考案にかかる板状かもじの斜視図
【図２】本考案にかかる板状かもじの裏側斜視図
【図３】本考案にかかる板状かもじの構成部品図
【図４】本考案にかかる板状かもじの横断面図
【図５】他の実施例
【考案を実施するための形態】
【０００８】
板状かもじ本体は、髪を上下に分けた下側の髪に置き、上側の髪をかもじ本体が隠れるように広げて被せ、上辺の髪を整えるとフック部に髪が入り込み係止される。
以下、添付図面に従って一実施例を説明する。本体１の板状かもじは面ファスナーのフック部で形成されている。尚、面ファスナーはループ部が形成された部材と、かぎ状のフック部が形成された部材の組合せで成り立っている。本考案は面ファスナーのフック部を活用している。図３は本体１の形態となる部材で山形カット２を設けた部材９と横幅を短くした部材９ａを図４の裏面６と６ａの両端を接着部３に固着することにより空間５が形成される。図４はその断面図である。
本体１の表面４と４ａはフック部が形成された面よりなり、髪がフック内に入り込み係止効果をもたらす。これはピンや留具等の付属部品を使用することなく地肌を隠しボリュームアップを図ることができる。周囲には山形カット２を設けかもじと髪の隔たりを軽減し、フック地を髪に紛れる色使いにすると使用していることをほとんど目立たせることがない。
又、図５による各種形態８はそれぞれを組み合わせて髪型の補修調整をしながらセットするとより一層好みの髪型が表現できる。更に、面ファスナーのフック生地の平織を避け、メッシュ状生地にフック加工されたものであれば通気性が良く、使用中の頭の蒸れや臭いの心配がなく最適である。更に、かもじ本体は生地（布地）からことより、軽く又自由に変形することができ、使う人の頭や髪型に合せやすくなっている。
本考案の一実施例は上述の如き構成からなるものであるから、板状かもじを髪と髪の間にはさみ上辺の髪を広げながらかもじに被せて撫でるように整えることでフックのカギ状部がしっかりを髪を係止し簡便なかもじとなっている。
【符号の説明】
【０００９】
１    かもじ本体                        ８    各種形態
２    山形カット                        ９    かもじ本体裏部
３    接着部                            １０  フック
４    フック面シート
４ａ  フック面シート
５    空間
６    裏面
６ａ  裏面
７    部材上部
７ａ  部材下部  
【図１】
0003163392.tif 000003
【図２】
0003163392.tif 000004
【図３】
0003163392.tif 000005
【図４】
0003163392.tif 000006
【図５】
0003163392.tif 000007
(57)【要約】      （修正有）【課題】Ｔシャツなどの衣類を洗濯し裏返しにしてハンガーに掛けて干す際に、強風が吹いても、あおられてカバーがハンガーから離脱することをなくした日焼け防止カバーを提供する。【解決手段】扇状の布の両横側縁を縫着又は接着して台形円錐状のカバーを形成し、上部を開口して貫通する孔とし、カバーの前面下縁と後面下縁に掛け紐を左右に橋渡す。【選択図】図１
0003163355.tif 000002
【実用新案登録請求の範囲】
【請求項１】
扇状の布の両横側縁を縫着又は接着して台形円錐状のカバーを形成し、上部を開口して貫通する孔とし、カバーの前面下縁と後面下縁に掛け紐を橋渡す事を特徴とする衣類の日焼け防止カバー。
【考案の詳細な説明】
【技術分野】
【０００１】  本考案は、Ｔシャツ等の衣類をハンガーにかけて陽光にあてて干す際に、衣類が日焼けをおこすので日焼けから守るために衣類にかぶせるカバーであるが、強風にカバーが吹き飛ばされてハンガーから離脱するので下縁に掛け紐をつけて吹き飛ばされないようにした事を特徴とする。
【背景技術】
【０００２】  洗濯した衣類の特にＴシャツをハンガーに掛けて外で干すときに、Ｔシャツの上から太陽光に晒されて紫外線によりＴシャツが日焼けしていた。大切なＴシャツが太陽光による日焼けから防ぐために、Ｔシャツの肩の部分を、タオルや風呂敷などの布でカバーをして太陽光に晒さないようにしていた。
また円錐状のカバーを、Ｔシャツの襟首部分に被せて、円錐状のカバーでＴシャツの上を覆うなどの日焼け防止が工夫されている。
【先行技術文献】
【０００３】
【特許文献１】特開２００８−２９５９８１号
【考案が解決しようとする課題】
【０００４】  Ｔシャツの上にタオルや風呂敷を被せていると、タオルや風呂敷などのカバーが風でふきとばされるなどしていた。また、ハンガーに掛けたＴシャツの上から円錐状のカバーを被せＴシャツの日焼けを防いでいると、円錐状のカバーの下側から風が上に吹き上げて、円錐状のカバーが上方へめくられてＴシャツの肩の部分から外れてしまい、結果的にＴシャツの用をなしていないことが多かった。本考案は以上の問題点を解決するものである。
【課題を解決するための手段】
【０００５】  扇状の布の両横側縁を縫着又は接着して台形円錐状のカバーを形成し、上部を開口して貫通する孔とし、カバーの前面下縁と後面下縁に掛け紐を左右に橋渡す。
ハンガーにＴシャツなど衣類を掛けて干す時、本発明が衣類の両肩を覆うように装着し、衣類が陽光に晒されて日焼けすることを防止する。
【考案の効果】
【０００６】  円錐状のカバーの下縁部分に掛け紐を設けたことにより、掛け紐はＴシャツの裾を引っ掛けるので円錐状のカバーが上方にめくれあがる事はない。これにより衣類が陽光に晒されて日焼けするのを防止する
【考案を実施するための形態】
【０００７】本考案の実施形態を図１、図２、図３、図４について説明する。
イ、扁平状からなる扇状の布の両横縁を縫着又は接着して台形円錐状のカバー（１）を形成する。
ロ、カバー（１）の上部を開口して貫通する孔（２）とし、カバーの前面の下縁（３ａ）と後面の下縁（３ｂ）に橋渡すように掛け紐（４）を左右対称になるように設ける。
ハ、カバー（１）の下方は開放状態となる。
本考案は以上の構成よりなるのでこれを使用するときは、ハンガー（５）にＴシャツなど衣類（７）を掛けて干すとき、本考案のカバー（１）が衣類（７）の両肩を覆うように装着する。この時、ハンガー（５）のフック（６）をカバー（１）の上方の孔（２）に貫通させる。さらに、掛け紐（４）（４）を衣類（７）の両脇下に掛けることにより、カバー（１）が風にあおられることがなく、またカバー（１）が風で吹き飛ばされてハンガー（５）から離脱することがない。
これにより、カバーが衣類の首から肩部を覆うので衣類を外で干しているときに衣類が陽光にさらされて日焼けすることを防止する。
【図面の簡単な説明】
【０００８】
【図１】本考案の斜視図
【図２】本考案の底面図
【図３】本考案の使用状態を示す正面図
【図４】本考案の使用断面図
【符号の説明】
【０００９】  １、カバー
２、孔
３、下縁
４、掛け紐
５、ハンガー
６、フック
７、衣類
【図１】
0003163355.tif 000003
【図２】
0003163355.tif 000004
【図３】
0003163355.tif 000005
【図４】
0003163355.tif 000006